(57)【要約】【課題】妥当ではない判定対象回路をユーザが選択する可能性を低くすることができる状態判定システム、状態判定方法及びプログラムを提供する。【解決手段】状態判定システム１０は、判定部１４と、提案部１５とを備える。判定部１４は、施設で使用された電力に関する電力データに基づいて施設の状態又は施設に関する人の状態を判定する。提案部１５は、施設５に備えられた複数の分岐回路７０及び主幹回路のうち１つ以上の回路からなる提案対象の中から少なくとも１つの回路を、判定部１４による判定に用いられる判定対象回路として提案する。または、提案部１５は、提案対象の中から少なくとも１つの回路を、判定部１４による判定に用いられない判定対象外回路として提案する。【選択図】図１
2018142935.tif 000002
【特許請求の範囲】
【請求項１】
施設で使用された電力に関する電力データに基づいて前記施設の状態又は前記施設に関する人の状態を判定する判定部と、
前記施設に備えられた複数の分岐回路及び主幹回路のうち１つ以上の回路からなる提案対象の中から少なくとも１つの回路を、前記判定部による判定に用いられる判定対象回路として、又は前記判定部による判定に用いられない判定対象外回路として提案する提案部とを備える
ことを特徴とする状態判定システム。
【請求項２】
前記提案部は、
前記提案対象である回路の各々の電力データと、前記電力データとは異なる付加情報とに基づいて前記判定対象回路又は前記判定対象外回路を提案する
ことを特徴とする請求項１に記載の状態判定システム。
【請求項３】
前記付加情報は、所定の時間帯を含み、
前記提案部は、
前記提案対象である回路の各々の前記所定の時間帯における前記電力データに基づいて前記判定対象回路又は前記判定対象外回路を提案する
ことを特徴とする請求項２に記載の状態判定システム。
【請求項４】
前記判定部は、
前記施設の特定の時間帯での状態又は前記施設に関する人の前記特定の時間帯での状態を、判定し、
前記特定の時間帯は、前記所定の時間帯と少なくとも一部が重複する
ことを特徴とする請求項３に記載の状態判定システム。
【請求項５】
前記特定の時間帯についてユーザからの入力を受け付ける受付部を、さらに備える
ことを特徴とする請求項４に記載の状態判定システム。
【請求項６】
前記提案部は、
前記提案対象である回路のうち、前記電力データが所定の変化パターンで変化している回路を前記判定対象回路として提案する
ことを特徴とする請求項１〜５のいずれか一項に記載の状態判定システム。
【請求項７】
前記提案部は、
前記提案対象である２つ以上の分岐回路の組み合わせから得られる電力データが前記所定の変化パターンで変化している場合には、前記２つ以上の分岐回路の各々を前記判定対象回路として提案する
ことを特徴とする請求項６に記載の状態判定システム。
【請求項８】
前記提案部は、
前記提案対象である回路の各々に対して所定の期間で計測された電力データの変化パターンの出現頻度に基づいて、前記提案対象の中から前記判定対象回路を特定する
ことを特徴とする請求項６に記載の状態判定システム。
【請求項９】
前記提案部は、
前記提案対象である回路のうち、所定の期間で計測された電力データの変化度合が大きい所定数の回路の各々を前記判定対象回路として提案する
ことを特徴とする請求項６に記載の状態判定システム。
【請求項１０】
前記提案部は、さらに、
前記判定部が現時点で判定の対象に用いている判定対象回路としての現対象回路を通知する
ことを特徴とする請求項１〜９のいずれか一項に記載の状態判定システム。
【請求項１１】
前記提案部は、前記判定対象回路を提案するように構成されており、
前記提案部で提案された前記判定対象回路を前記判定部による判定に用いる回路として登録するか否かを表す登録情報をユーザから受け取る受取部を、さらに備え、
前記判定部は、前記判定部による判定に用いる回路として登録された判定対象回路の電力データに基づいて、前記施設の状態又は前記施設に関する人の状態を判定する
ことを特徴とする請求項１〜１０のいずれか一項に記載の状態判定システム。
【請求項１２】
前記提案部は、
前記判定対象回路を提案するように構成されており、
前記提案対象の中から少なくとも１つの回路を前記判定対象回路として求め、求めた前記判定対象回路が前記判定部による判定に用いる回路として登録された後に、前記判定対象回路の提案に代えて前記判定対象回路を登録したことを通知する
ことを特徴とする請求項１〜１０のいずれか一項に記載の状態判定システム。
【請求項１３】
前記提案部は、
前記提案部が提案した前記判定対象回路が前記判定部による判定に用いる回路として登録された後において、登録された前記判定対象回路を変更すべきか否かを判断し、変更すべきと判断する場合には新たな判定対象回路を提案する
ことを特徴とする請求項１１又は１２に記載の状態判定システム。
【請求項１４】
施設で使用された電力に関する電力データに基づいて前記施設の状態又は前記施設に関する人の状態を判定する判定ステップと、
前記施設に備えられた複数の分岐回路及び主幹回路のうち１つ以上の回路からなる提案対象の中から少なくとも１つの回路を、前記判定ステップによる判定に用いられる判定対象回路として、又は前記判定ステップによる判定に用いられない判定対象外回路として提案する提案ステップとを含む
ことを特徴とする状態判定方法。
【請求項１５】
コンピュータシステムに、
施設で使用された電力に関する電力データに基づいて前記施設の状態又は前記施設に関する人の状態を判定する判定処理と、
前記施設に備えられた複数の分岐回路及び主幹回路のうち１つ以上の回路からなる提案対象の中から少なくとも１つの回路を、前記判定処理による判定に用いられる判定対象回路として、又は前記判定処理による判定に用いられない判定対象外回路として提案する提案処理とを
実行させるためのプログラム。
【発明の詳細な説明】
【技術分野】
【０００１】
本発明は、状態判定システム、状態判定方法及びプログラムに関し、より詳細には、電力に関する電力データを用いて施設の状態又は人の状態を判定する状態判定システム、状態判定方法及びプログラムに関する。
【背景技術】
【０００２】
従来、各家庭の消費電力量等から、その家庭でなされている行動を推定して情報を提供する技術が知られており、例えば特許文献１に開示されている。特許文献１では、行動を推定するために、行動ラベルとその行動ラベルの発生条件とを対応付けている。行動ラベルとは、生活行動を表す。行動ラベルの発生条件とは、行動ラベルの発生の有無を判定する条件、即ち生活行動を推定する際の推定条件である。行動ラベルの発生条件は、例えば予め入力された機器の利用状況が含まれている。特許文献１で記載された技術は、行動ラベルの発生条件が満たされると、当該行動ラベルで表される行動が行われたことを推定することができる。
【先行技術文献】
【特許文献】
【０００３】
【特許文献１】特開２０１６−５８０２９号公報
【発明の概要】
【発明が解決しようとする課題】
【０００４】
特許文献１では、行動ラベルの発生条件（判定対象回路）を登録する際に、複数の機器のうちどの機器を登録することが有効であるかを知ることができない。そのため、人の行動（人の状態）又は施設の状態等の判定に妥当でない判定対象回路を選択することで、人の行動（人の状態）又は施設の状態等の判定の精度が低くなる可能性がある。
【０００５】
そこで、本発明は上記事由に鑑みてなされており、妥当ではない判定対象回路をユーザが選択する可能性を低くすることができる状態判定システム、状態判定方法及びプログラムを提供することを目的とする。
【課題を解決するための手段】
【０００６】
本発明の一態様に係る状態判定システムは、判定部と、提案部とを備える。前記判定部は、施設で使用された電力に関する電力データに基づいて前記施設の状態又は前記施設に関する人の状態を判定する。前記提案部は、前記施設に備えられた複数の分岐回路及び主幹回路のうち１つ以上の回路からなる提案対象の中から少なくとも１つの回路を、前記判定部による判定に用いられる判定対象回路として提案する。または、前記提案部は、前記提案対象の中から少なくとも１つの回路を、前記判定部による判定に用いられない判定対象外回路として提案する。
【０００７】
本発明の一態様に係る状態判定方法は、判定ステップと、提案ステップとを含んでいる。前記判定ステップは、施設で使用された電力に関する電力データに基づいて前記施設の状態又は前記施設に関する人の状態を判定する。前記提案ステップは、前記施設に備えられた複数の分岐回路及び主幹回路のうち１つ以上の回路からなる提案対象の中から少なくとも１つの回路を、前記判定ステップによる判定に用いられる判定対象回路として提案する。または、前記提案ステップは、前記提案対象の中から少なくとも１つの回路を、前記判定ステップによる判定に用いられない判定対象外回路として提案する。
【０００８】
本発明の一態様に係るプログラムは、コンピュータシステムに、判定処理と、提案処理とを  実行させるためのプログラムである。前記判定処理は、施設で使用された電力に関する電力データに基づいて前記施設の状態又は前記施設に関する人の状態を判定する。前記提案処理は、前記施設に備えられた複数の分岐回路及び主幹回路のうち１つ以上の回路からなる提案対象の中から少なくとも１つの回路を、前記判定処理による判定に用いられる判定対象回路として提案する。または、前記提案処理は、前記提案対象の中から少なくとも１つの回路を、前記判定処理による判定に用いられない判定対象外回路として提案する。
【発明の効果】
【０００９】
本発明によると、妥当ではない判定対象回路をユーザが選択する可能性を低くすることができる。
【図面の簡単な説明】
【００１０】
【図１】図１は、本発明の実施形態１に係る状態判定システムの構成を示すブロック図である。
【図２】図２は、同上の状態判定システムを含むシステムの構成図である。
【図３】図３は、同上の状態判定システムが表示する提案画面の一例を示す図である。
【図４】図４は、同上の状態判定システムが表示する確認画面の一例を示す図である。
【図５】図５は、本発明の実施形態３に係る状態判定システムが表示する提案画面の一例を示す図である。
【発明を実施するための形態】
【００１１】
以下に説明する各実施形態及び変形例は、本発明の一例に過ぎず、本発明は、実施形態及び変形例に限定されない。この実施形態及び変形例以外であっても、本発明に係る技術的思想を逸脱しない範囲であれば、設計等に応じて種々の変更が可能である。
【００１２】
（実施形態１）
本実施形態に係る状態判定システム、状態判定方法及びプログラムについて説明する。
【００１３】
（１）全体概要
本実施形態では、施設で使用された電力に関する電力データに基づいて施設に関する人の状態を判定する機能、及び判定に用いる判定対象回路を提案する機能を、基本的な機能として有する状態判定システムについて説明する。ここで、判定対象回路は、施設に設けられた分岐回路である。また、「人の状態を判定する」とは、人が特定の行動をとったか否かを判定する。
【００１４】
本実施形態において、「施設」は、電力の需要家の施設を意味しており、電力会社等の電気事業者から電力の供給を受ける施設だけでなく、太陽光発電設備等の自家発電設備から電力の供給を受ける施設も含む。本実施形態では、戸建住宅を施設の一例として説明する。なお、施設は、戸建住宅に限らず、集合住宅の各住戸、オフィスビル、商業施設、病院、福祉施設、ホテル又は工場等であってもよい。
【００１５】
本実施形態では、コンピュータシステムが備える状態判定システム１０は、図１、図２に示すように、サーバ１にて構成される。
【００１６】
ローカル装置４０は、図２に示すように、施設５に設けられた計測システム２０から施設５における電力の消費に係る電力データを取得する。具体的には、計測システム２０は、施設５における複数の分岐回路７０の各々について、消費電力量を消費データとして計測するシステムである。施設５における複数の分岐回路７０の各々には機器５０が接続されている。機器５０は、例えば施設５に設けられており、電力を消費する電気機器である。機器５０は、例えば照明器具、空調機器、炊飯器、洗濯機、食器洗浄機、給湯機、調理家電等である。
【００１７】
サーバ１は、図２に示すように、施設５に設けられた計測システム２０にネットワーク４を介して接続される。計測システム２０は、施設５における複数の分岐回路７０の各々について、消費電力と消費電力量との少なくとも一方を計測値として計測するシステムである。
【００１８】
また、サーバ１は、図２に示すように、表示部３１を備える情報端末３にネットワーク４を介して接続される。情報端末３は、状態判定システム１０（サーバ１）で出力された情報を表示部３１に表示する。表示部３１で表示される情報は、例えばサーバ１が提案する判定対象回路である。
【００１９】
なお、本実施形態では、施設５への帰宅を特定の行動として説明する。
【００２０】
（２）構成
次に、本実施形態に係る状態判定システム１０、計測システム２０、ローカル装置４０及び情報端末３の構成について説明する。
【００２１】
（２．１）計測システム
まず、本実施形態の計測システム２０の構成について説明する。
【００２２】
計測システム２０は、図２に示すように、計測ユニット２１と、通信アダプタ２２と、電流センサ２３，２４とを備えている。このうち、計測ユニット２１、通信アダプタ２２、及び電流センサ２３，２４は、分電盤６のキャビネット内に配置されている。分電盤６は、系統電源９に電気的に接続される主幹ブレーカ６１と、主幹ブレーカ６１の二次側に電気的に接続された複数の分岐ブレーカ６２とをキャビネット内に備えている。
【００２３】
計測ユニット２１は、電流センサ２３，２４に電気的に接続されている。電流センサ２３は、主幹ブレーカ６１の一次側に設けられ、幹線を流れる電流の値を計測する。複数の電流センサ２４は、複数の分岐ブレーカ６２に対応して設けられ、複数の分岐回路７０に流れる電流の値をそれぞれ計測する。ここでいう「分岐回路」は、複数の分岐ブレーカ６２にて幹線から分岐された各回路を意味する。分岐回路７０には、分岐ブレーカ６２に接続される配線、照明器具や調理家電等の機器５０、コンセント（アウトレット）、壁スイッチ等を含んでいる。このような分岐回路７０は、本実施形態のように戸建住宅からなる施設５においては、例えばリビング、寝室、玄関、トイレ、子供部屋、キッチン等の部屋ごと、かつ空調機器、照明器具、調理家電等の機器の種類ごとに設けられる。１つの分岐回路７０には、１つの機器５０が含まれてもよいし、複数の機器５０が含まれてもよい。
【００２４】
計測ユニット２１は、電流センサ２３，２４の出力を用いて、幹線及び複数の分岐回路７０の各々について、消費電力と消費電力量との少なくとも一方を計測する。通信アダプタ２２は、計測ユニット２１で計測された計測値を、計測システム２０の計測値として施設５に設けられたローカル装置４０へ送信する。
【００２５】
要するに、計測システム２０の計測値は、施設５における複数の分岐回路７０の各々について、計測ユニット２１で計測される消費電力と消費電力量との少なくとも一方を含んでいる。つまり、計測値は、瞬時電力を表す消費電力であってもよいし、あるいは一定時間における電力の消費量（使用量）を表す消費電力量であってもよい。また、計測値は、消費電力と消費電力量との両方であってもよい。本実施形態では一例として、計測値は、消費電力を一定時間（例えば正時から３０分間隔）で積算した消費電力量である。
【００２６】
（２．２）状態判定システム
次に、本実施形態の状態判定システム１０の構成について説明する。
【００２７】
状態判定システム１０は、上述したように、本実施形態ではサーバ１にて構成されている。サーバ１は、情報端末３及びローカル装置４０とネットワーク４を介して通信可能である。
【００２８】
サーバ１は、計測システム２０で計測された消費電力量を、分岐ブレーカ６２（分岐回路７０）ごとに時系列データとしてローカル装置４０を介して取得する。サーバ１は、分岐ブレーカ６２（分岐回路７０）ごとに取得した消費電力量のうち判定対象回路の特定の時間帯における消費電力量の変化に基づいて、所定のアルゴリズムに従って施設５内の人の状態を判定する。例えば、サーバ１は、当該人が帰宅したか否かを人の状態として判定する。特定の時間帯とは、施設５の人が特定の行動を行う可能性がある時間帯である。
【００２９】
サーバ１は、図１に示すように、記憶部１１と、処理部１２と、通信部１３とを備える。サーバ１は、ＣＰＵ（Central Processing Unit）及びメモリを有している。ＣＰＵがメモリに格納されているプログラムを実行することにより、処理部１２の機能を実現する。プログラムは、ここではインターネット等の電気通信回線を通じて、あるいはメモリカード等の記録媒体に記録されて提供されるが、コンピュータのメモリに予め記録されていてもよい。
【００３０】
記憶部１１は、ＲＯＭ（Read Only Memory）、ＲＡＭ（Random Access Memory）、またはＥＥＰＲＯＭ（Electrically Erasable Programmable Read Only Memory）等から選択されるデバイスで構成される。記憶部１１は、計測システム２０から取得した施設５における消費電力量（計測値）を電力データとして、対応する分岐回路７０の名称及び計測値が計測された時刻を対応付けて記憶する。ここで、分岐回路７０の名称は、分岐回路７０ごとに異なっている。これにより複数の分岐回路７０を、個別に識別される。なお、分岐回路７０に１つの機器５０のみが含まれている場合には、当該分岐回路７０には、機器５０の名称を割り当ててもよい。例えば、分岐回路７０に空調機器のみが機器５０として含まれている場合には、当該分岐回路７０の名称は、空調機器に割り当てられた名称であってもよい。
【００３１】
記憶部１１は、特定の時間帯における施設５の人の状態を判定するために登録されたすべての判定対象回路を記憶している。具体的には、記憶部１１は、施設５の人の状態を判定するために登録されたすべての判定対象回路の名称を記憶している。
【００３２】
記憶部１１は、上述した特定の時間帯（以下、「第１時間帯」ともいう）を記憶している。本実施形態では、記憶部１１は、特定の時間帯として施設５の人の帰宅する可能性がある時間帯（１６：００〜１８：００）を表す第１時間帯情報を記憶している。第１時間帯情報を記憶（登録）することで、特定の時間帯における人の状態（施設５に帰宅したか否か）を判定することができる。
【００３３】
記憶部１１は、所定の時間帯（以下、「第２時間帯」という）を表す第２時間帯情報を記憶している。第２時間帯情報は、複数の分岐回路７０から、提案すべき判定対象回路を選択する際、及び判定部１４が施設５の人の第１時間帯での状態を判定するために用いられる。また、本実施形態では、第２時間帯と、第１時間帯は、同一の時間帯（１６：００〜１８：００）である。
【００３４】
処理部１２は、図１に示すように、判定部１４、提案部１５、登録部１６、第１入力部１７及び第２入力部１８を有する。
【００３５】
判定部１４は、記憶部１１に記憶された１つ以上の判定対象回路の名称にそれぞれ対応する判定対象回路の第２時間帯における電力データの変化に基づいて、施設５の人の第１時間帯での状態を判定する。例えば、記憶部１１で３つの判定対象回路の名称が記憶されている。この場合、判定部１４は、記憶部１１で記憶されている３つの判定対象回路の名称のうち少なくとも１つの判定対象回路の名称に対応する判定対象回路について第２時間帯における電力データで変化が確認された場合に、施設５の人が帰宅したと判定する。例えば、判定部１４は、３つの判定対象回路のうち少なくとも１つの判定対象回路について第２時間帯における電力データから当該判定対象回路の使用が確認された場合に、施設５の人が帰宅したと判定する。判定部１４は、３つの判定対象回路すべてについて第２時間帯における電力データから当該判定対象回路の使用が確認されない場合に、施設５の人が帰宅していないと判定する。
【００３６】
判定部１４は、施設５の人が帰宅したと判定する場合、施設５の人が帰宅したことを施設５の他の人（情報端末３のユーザ）に通知するために、施設５の人が帰宅したことを表す帰宅情報を情報端末３に送信する。
【００３７】
提案部１５は、複数の分岐回路７０の各々に対して、過去１日を所定の期間として当該所定の期間での第２時間帯における電力データの変化に基づいて、少なくとも１つの判定対象回路を求める。例えば、提案部１５は、複数の分岐回路７０のうち第２時間帯において電力データが所定の変化パターンが出現している１つ以上の分岐回路７０を、それぞれ判定対象回路として提案する。ここで、所定の変化パターンとは、例えば、分岐回路７０の使用状態が未使用から使用に変化するパターンである。なお、判定対象回路を求めるための所定の期間は、１日に限らず、複数の連続する日数からなる期間（例えば、３日間、１週間、１ヶ月間）であってもよい。または、所定の期間は、複数の不連続な日数からなる期間であってもよい。複数の不連続な日数として、例えば同一曜日の複数の日数である。つまり判定対象回路を求めるための所定の期間は、第２時間帯を少なくとも１つ含む期間であればよい。
【００３８】
提案部１５は、求めたすべての判定対象回路に対して、所定の期間での第２時間帯における電力データの変化を表すグラフを表すグラフ情報を生成する。所定の期間が複数の日数である場合には、グラフは複数の日数に対する電力データ（計測値）の平均を表してもよいし、複数の日数のうち一の日の電力データを表してもよい。または、全ての日の電力データを表してもよいし、一部時間の電力データを表してもよい。
【００３９】
提案部１５は、情報端末３で表示される画面の情報であって提案すべき判定対象回路すべての名称、生成したグラフ情報及び第１時間帯を含む画面情報を、通信部１３を介して情報端末３に送信する。提案部１５は、情報端末３で画面情報に基づいて画面を表示させることで、判定対象回路をユーザに提案する。判定対象回路（分岐回路７０）が１つの機器５０のみを含んでいる場合には、判定対象回路（分岐回路７０）を提案することは、判定対象として機器５０を提案することとみなすことができる。
【００４０】
なお、提案部１５は、複数の分岐回路７０各々に対して第２時間帯における電力データの変化に基づいて、変化量（変化度合）が最も大きい上位所定数（例えば、上位３つ）の分岐回路７０を、それぞれ判定対象回路として提案してもよい。または、提案部１５は、複数の分岐回路７０すべてに対して第２時間帯での電力データが変化する回数（変化パターンの出現頻度）に基づいて、出現頻度が最も多い上位所定数（例えば、上位３つ）の分岐回路７０を、それぞれ判定対象回路として提案してもよい。
【００４１】
登録部１６は、提案部１５で提案した判定対象回路を判定部１４の判定で用いる機器又は回路として登録する。具体的には、登録部１６は、提案部１５で提案した判定対象回路すべての名称を、記憶部１１に記憶（登録）する。
【００４２】
第１入力部１７は、ユーザが情報端末３を操作することで情報端末３が受け付けた第１時間帯情報を、通信部１３を介して受け付ける。第１入力部１７は、受け付けた第１時間帯情報を記憶部１１に記憶する。
【００４３】
第２入力部１８は、ユーザが情報端末３を操作することで情報端末３が受け付けた情報であって提案された判定対象回路の登録を行うか否かを表す登録情報を受け付ける。第２入力部１８は、受け付けた登録情報を登録部１６に出力する。このとき、登録部１６は、登録情報が判定対象回路の登録を行うことを表している場合に、提案部１５で提案した判定対象回路すべてを記憶部１１に登録、つまり判定対象回路すべての名称を記憶部１１に記憶する。
【００４４】
通信部１３は、ネットワーク４に接続されることで、サーバ１と情報端末３との間、及びサーバ１とローカル装置４０との間の通信を可能にする。
【００４５】
（２．３）ローカル装置
次に、本実施形態のローカル装置４０の構成について説明する。
【００４６】
ローカル装置４０は、例えばＨＥＭＳ（Home Energy Management System）のローカル装置である。
【００４７】
ローカル装置４０は、図１に示すように、処理部４１と、第１通信部４２と、第２通信部４３とを備える。ローカル装置４０は、ＣＰＵ及びメモリを有している。ＣＰＵがメモリに格納されているプログラムを実行することにより、処理部４１の機能を実現する。プログラムは、ここではインターネット等の電気通信回線を通じて、あるいはメモリカード等の記録媒体に記録されて提供されるが、コンピュータのメモリに予め記録されていてもよい。
【００４８】
処理部４１は、計測システム２０で計測された施設５における分岐回路７０の各々の消費電力量の情報を取得し、取得した施設５の消費電力量に日時を対応付けて記憶領域に分岐回路７０ごとに一時的に記憶する。処理部４１は、記憶領域に分岐回路７０ごとに蓄積されている計測システム２０の消費電力量及び対応付けられた日時を、定期的に第１通信部４２からサーバ１に送信する。具体的には、処理部４１は、消費電力量に、対応する分岐回路７０の名称及び日時を対応付けて、サーバ１に送信する。
【００４９】
第１通信部４２は、例えばイーサネット（登録商標）規格に準拠した通信インタフェースである。第１通信部４２は、ルータ７及びネットワーク４を介してサーバ１と通信可能である。第１通信部４２は、ルータ７と有線通信を行ってもよいし、無線通信を行ってもよい。
【００５０】
第２通信部４３は、計測システム２０の通信アダプタ２２と無線で通信を行うための通信インタフェースである。第２通信部４３は、例えば、無線局の免許が不要な小電力無線の通信インタフェースである。この種の小電力無線については、用途等に応じて使用する周波数帯域や空中線電力等の仕様が各国で規定されている。日本国においては、９２０ＭＨｚ帯または４２０ＭＨｚ帯の電波を使用する小電力無線（特定小電力無線）が規定されている。第２通信部４３は、無線通信により通信アダプタ２２から幹線及び複数の分岐回路７０の各々の計測値（消費電力量）を受け取る。第２通信部４３は、無線通信により機器５０を制御するための情報を、制御対象の機器５０に送信する。なお、第２通信部４３は、本実施形態では無線通信を行う構成としているが、有線通信であってもよい。
【００５１】
（２．４）情報端末
次に、本実施形態の情報端末の構成について説明する。
【００５２】
情報端末３は、図１に示すように、表示部３１の他、処理部３２と、通信部３３と、入力部３４と、記憶部３５とを備える。情報端末３は、ＣＰＵ及びメモリを有しており、ＣＰＵがメモリに格納されているプログラムを実行することにより、コンピュータを処理部３２として機能させる。プログラムは、ここではインターネット等の電気通信回線を通じて、あるいはメモリカード等の記録媒体に記録されて提供されるが、コンピュータのメモリに予め記録されていてもよい。情報端末３は、専用のアプリケーションソフトをインストールし、このアプリケーションソフトを起動することにより、少なくともサーバ１から提供される情報を表示するように機能する。
【００５３】
図２の例では、上述したように、情報端末３Ａは施設５外にあるスマートフォンであり、情報端末３Ｂは施設５内にあるスマートフォンであり、情報端末３Ｃは施設５内で使用される専用モニタである。例えば、情報端末３Ｃは、ＨＥＭＳ対応の専用モニタである。
【００５４】
表示部３１は、例えば液晶ディスプレイや有機ＥＬ（electroluminescence）ディスプレイのような薄型のディスプレイ装置である。
【００５５】
処理部３２は、表示部３１に表示する画面を作成し、表示部３１を制御することにより、作成した画面を表示部３１に表示する機能を持つ。つまり、情報端末３は、専用のアプリケーションソフトをインストールし、このアプリケーションソフトを起動することにより、表示部３１を制御するための処理部３２としての機能を実現する。
【００５６】
通信部３３は、ネットワーク４に接続されることで、情報端末３とサーバ１（状態判定システム１０）との間の通信を可能にする。ここでは、情報端末３Ａは、施設５外にあるスマートフォンであるから、通信部３３は、通信事業者が提供する携帯電話網（キャリア網）を介して、ネットワーク４に接続される。携帯電話網には、例えば３Ｇ（第３世代）回線、ＬＴＥ（Long Term Evolution）回線等がある。通信部３３は、公衆無線ＬＡＮ（Local Area Network）を介してネットワーク４に接続されてもよい。情報端末３Ｂは、施設５内にあるスマートフォンであるから、ルータ７との間で例えばＷｉ−Ｆｉ（登録商標）に準拠した近距離無線通信を行う。情報端末３Ｃは、施設５内にある専用モニタであるから、ルータ７に対してＬＡＮケーブルで接続されている。ルータ７は、ネットワーク４に接続されているので、情報端末３Ｂ，３Ｃは、ルータ７を介してネットワーク４にも接続されることになる。なお、情報端末３Ｃは、本実施形態では有線通信を行う構成としているが、無線通信でルータ７と通信を行ってもよい。
【００５７】
入力部３４は、情報端末３の所有者の操作を受け付ける機能を有している。本実施形態では、情報端末３はタッチパネルディスプレイを搭載したスマートフォンであり、タッチパネルディスプレイが表示部３１及び入力部３４として機能する。そのため、以下の説明では、表示部３１に表示される画面上のボタンに対する種々のタッチ操作を、「タップ」等と表現する。ただし、入力部３４は、タッチパネルディスプレイに限らず、例えばキーボードやポインティングデバイス、メカニカルなスイッチ等であってもよい。
【００５８】
記憶部３５は、例えばフラッシュメモリ等の電気的に書換可能な不揮発性の半導体メモリで構成される。
【００５９】
情報端末３は、上記構成によりサーバ１で提供される情報を表示するように機能することができる。
【００６０】
（３）動作説明
（３．１）状態判定システム
以下、本実施形態に係る状態判定システムの動作について説明する。
【００６１】
本実施形態に係るプログラムは、状態判定システム１０（サーバ１）が、施設５で使用された電力に関する電力データに基づいて施設５内の人の状態を判定する機能と、判定に用いる判定対象回路を提案する機能とを実現するためのプログラムである。つまり、本実施形態に係るプログラムは、サーバ１のコンピュータを、判定部１４、提案部１５、登録部１６、第１入力部１７及び第２入力部１８として機能させるためのプログラムである。
【００６２】
判定対象回路を提案する状況として、記憶部１１に判定対象回路の名称が記憶されていない、つまり判定対象回路が登録されていない場合（初期状態）と、登録されている判定対象回路の変更（更新）を行う場合とがある。
【００６３】
まず、初期状態の場合におけるサーバ１の動作について説明する。
【００６４】
提案部１５は、記憶部１１に判定対象回路が登録されていない場合には、所定の期間での第２時間帯における複数の分岐回路７０すべての電力データの変化に基づいて、少なくとも１つの判定対象回路を求める。例えば、提案部１５は、電力データが所定の変化パターンが出現している１つ以上の分岐回路７０を、それぞれ判定対象回路とする。提案部１５は、提案すべき１つ以上の判定対象回路の各々に対して、第２時間帯における電力データの変化を表すグラフを表すグラフ情報を生成する。提案部１５は、第１時間帯情報、求めた１つ以上の判定対象回路の各々の名称及び生成したグラフ情報を含む画面情報を、通信部１３を介して情報端末３に送信する。例えば、提案すべき判定対象回路が３つである場合、提案部１５は、３つの判定対象回路の各々に対して、グラフ情報を生成する。提案部１５は、第１時間帯情報、３つの判定対象回路の各々の名称、及び３つの判定対象回路の各々のグラフ情報を含む画面情報を、情報端末３に送信する。
【００６５】
なお、判定対象回路を求める際に、常にすべての分岐回路７０を用いる必要はない。例えば、提案部１５は、すべての分岐回路７０から電力変化の無い分岐回路７０等を除いた残りの分岐回路を用いて判定対象回路を求めてもよい。また、判定対象回路から除外される回路として、全く使用されていない回路、変化はあるが所定の電力よりも少ない電力で変化している回路、自動的な制御により、周期的な電力変化をしている回路、分岐回路名称から不適当と思われる回路等がある。
【００６６】
また、提案部１５は、所定の期間での第２時間帯における複数の分岐回路７０すべての電力データの変化に基づいて、変化量（変化度合）の平均が最も大きい上位所定数（例えば上位３つ）の分岐回路７０を、それぞれ判定対象回路として提案してもよい。例えば、変化量とは、待機電力から消費電力量のピーク値までの差分である。
【００６７】
または、提案部１５は、複数の分岐回路７０すべてに対して所定期間で計測された電力データの変化パターンが出現する頻度に基づいて、出現頻度が最も多い上位所定数（例えば、上位３つ）の分岐回路７０を、それぞれ判定対象回路として提案してもよい。例えば、提案部１５は、複数の分岐回路７０すべてに対して所定期間での第２時間帯の電力データにおいて変化パターンが出現する１日当たりの頻度に基づいて、出現頻度が最も多い上位所定数の分岐回路７０を、それぞれ判定対象回路として提案してもよい。
【００６８】
または、複数の日に対して日ごとに変化パターンを求めて、同じ時間帯に所定の変化パターンが発生している日の頻度に基づいて判定対象回路を提案してもよい。この場合、１日だけその時間帯に所定の変化パターンが発生したに過ぎない場合の誤提案を抑制できる。
【００６９】
登録部１６は、第２入力部１８を介して、登録情報を受け取ると、登録情報が判定対象回路の登録を行うことを表している場合に、提案部１５で提案した判定対象回路すべてを記憶部１１に登録、つまり提案した判定対象回路すべての名称を記憶部１１に記憶する。
【００７０】
次に、登録された判定対象回路の変更（更新）を行う場合について説明する。判定対象回路の変更は、例えば施設５の人が帰宅後に使用する機器５０が変更されたとき、施設５の人が帰宅後に使用する機器５０に変更はないが、判定対象回路（分岐回路７０）に接続された機器５０が変更されて消費電力量に変化が生じているとき等に行われる。言い換えれば、判定対象回路の変更は、施設５の人が帰宅後に使用する機器５０に変更はないが、使用する機器５０が接続されている分岐回路７０が変更されて、判定対象回路の消費電力量に変化が生じているとき等に行われる。
【００７１】
提案部１５は、判定対象回路が記憶部１１に登録された後、記憶部１１に登録されている判定対象回路を変更すべきか否かを判断し、変更すべきと判断する場合に新たに求めた判定対象回路の提案を行う。
【００７２】
提案部１５は、判定対象回路が記憶部１１に登録された後、複数の分岐回路７０すべてに対して所定の期間での第２時間帯における電力データの変化を監視する。提案部１５は、所定の期間での第２時間帯における電力データに所定の変化パターンが出現している１つ以上の分岐回路７０を求める。提案部１５は、求めた１つ以上の分岐回路７０の名称からなる第１群と、記憶部１１で記憶されている判定対象回路の名称からなる第２群とが一致するか否かを判断する。ここでの第１群及び第２群の概念には、１つからなる場合も含める。
【００７３】
提案部１５は、一致しない場合には、判定対象回路の変更を行うと判断する。つまり、第１群と第２群とが一致するか否かの判断は、判定対象回路を変更すべきか否かの判断に読み替え可能である。
【００７４】
提案部１５は、判定対象回路を変更すべきと判断した場合に、新たに求めた１つ以上の分岐回路７０を、それぞれ判定対象回路として提案する。
【００７５】
なお、提案部１５は、電力データの変化量に基づいて判定対象回路を提案する場合、変化量が最も大きい上位所定数の分岐回路７０の名称からなる第１群と、記憶部１１で記憶する所定数の判定対象回路の名称からなる第２群とが一致するか否かを判断してもよい。提案部１５は、一致しない場合には、判定対象回路を変更すべきと判断する。または、提案部１５は、電力データの変化パターンの出現頻度が最も多い上位所定数の分岐回路７０の名称からなる第１群と、記憶部１１で記憶する所定数の判定対象回路の名称からなる第２群とが一致するか否かを判断してもよい。これらの場合でも、提案すべき分岐回路７０の名称からな組み合わせと、記憶部１１に登録された判定対象回路の名称の組み合わせとが一致するか否かの判断は、記憶部１１に登録された判定対象回路を変更すべきか否かの判断に読み替え可能である。
【００７６】
以降の動作は、初期状態の場合におけるサーバ１の動作で説明した動作と同様であるので、説明を省略する。
【００７７】
（３．２）情報端末
次に、情報端末３の動作について説明する。
【００７８】
情報端末３の処理部３２は、画面情報をサーバ１から通信部３３を介して受け取る。処理部３２は、画面情報を基に提案画面１００を生成し、表示部３１に表示する。
【００７９】
処理部３２は、表示部３１で提案画面１００が表示されている間にユーザの所定操作が行われると、提案された判定対象回路を受け入れるか否かを問い合わせる確認画面１５０を表示部３１に表示する。ここで、確認画面１５０は、提案画面１００にオーバーラップして表示されてもよいし、提案画面１００から確認画面１５０に遷移してもよい。
【００８０】
入力部３４は、提案された判定対象回路の登録を行うか否かを問い合わせに対する応答をユーザ操作により受け付ける。処理部３２は、入力部３４で受け付けた応答に応じた登録情報をサーバ１に送信する。
【００８１】
以下、提案画面１００及び確認画面１５０について説明する。
【００８２】
まず、提案画面１００について説明する。
【００８３】
提案画面１００は、図３に示すように、グラフ表示領域１０１と、情報表示領域１０２とを含んでいる。図３の参照符号及び領域を囲む一点鎖線は、説明のために記載しているのみであり、実際の画面には表示されない。以下、図４においても同様である。
【００８４】
グラフ表示領域１０１には、提案する判定対象回路の名称と、第２時間帯を含む時間帯における当該判定対象回路の消費電力量（計測値）の変化を表すグラフとが表示される。ここで、判定対象回路の名称は、分岐回路７０の名称、又は機器５０の名称である。図３では、グラフ表示領域１０１には、提案する３つの判定対象回路の各々の名称（第１分岐回路、第５分岐回路及び空調機器（子供部屋））と、判定対象回路の各々の第２時間帯を含む時間帯における電力データ（計測値）の変化を表すグラフとが表示されている。情報表示領域１０２には、第１時間帯（ここでは、１６：００〜１８：００）が表示される。
【００８５】
提案画面１００が表示されることにより、情報端末３のユーザは、提案された判定対象回路が第１時間帯（ここでは、帰宅する可能性がある時間帯）における施設５の人の状態を判定する機器として適しているか否かを判断することができる。
【００８６】
なお、提案画面１００において表示される判定対象回路についてのグラフは、表示対象として必須ではない。提案画面１００では、少なくとも提案すべきすべての判定対象回路の名称が表示されることが好ましい。または、提案画面１００において提案すべきすべての判定対象回路についてのグラフを表示する場合、第１時間帯のみのグラフを表示してもよい。または、提案すべきすべての判定対象回路のうち一部の判定対象回路についてはグラフのみが表示、又はグラフ及び名称の組が表示され、残りの判定対象回路については名称のみが表示されてもよい。また、提案すべきすべての判定対象回路のうち一部の判定対象回路については名称のみが表示、又は名称及びグラフの組が表示され、残りの判定対象回路についてグラフのみが表示されてもよい。
【００８７】
また、本実施形態では、判定対象回路の名称を表示する構成としているが、判定対象回路に接続された機器５０の名称を表示してもよいし、判定対象回路の名称及び判定対象回路に接続された機器５０の名称の双方を表示してもよい。この場合、判定対象回路に複数の機器５０が接続されている場合等において、どのような機器５０が判定対象回路に接続されているかを知ることができる。
【００８８】
次に、確認画面１５０について説明する。
【００８９】
確認画面１５０は、図４に示すように、第１表示領域１５１、第２表示領域１５２及び第３表示領域１５３を含んでいる。第１表示領域１５１は、提案された判定対象回路の登録を行うか否かを問い合わせるメッセージが表示される。第２表示領域１５２には第１ボタンが、第３表示領域１５３には第２ボタンが、それぞれ表示される。第１ボタンがタップされると、提案された判定対象回路の登録を行うことを表す登録情報がサーバ１に送信される。第２ボタンがタップされると、提案された判定対象回路の登録を行わないことを表す登録情報がサーバ１に送信される。
【００９０】
（実施形態２）
本実施形態の状態判定システム１０は、複数の分岐回路７０のうち２つ以上の分岐回路７０の組み合わせでの電力データに基づいて、判定対象回路を提案する点が、実施形態１の状態判定システム１０とは異なる。なお、実施形態１と同様の構成要素には同一の符号を付して説明を適宜省略する。
【００９１】
本実施形態の記憶部１１は、施設５の人の帰宅の判定に用いる情報として、複数の対応情報を記憶している。対応情報は、複数の分岐回路７０のうち２つ以上の分岐回路７０の組み合わせと、第２時間帯におけるこれら分岐回路７０の状態が未使用から使用に変化する変化パターンの出現順序とを対応付けた情報である。
【００９２】
以下、本実施形態におけるサーバ１の動作について説明する。
【００９３】
まず、初期状態の場合におけるサーバ１の動作について説明する。
【００９４】
提案部１５は、所定の期間での第２時間帯におけるすべての分岐回路７０の電力データの変化に基づいて、複数の対応情報のうち一の対応情報に含まれる出現順序で使用された当該一の対応情報に含まれる２つ以上の分岐回路７０を求める。提案部１５は、求めた２つ以上の分岐回路７０を、それぞれ判定対象回路として提案する。
【００９５】
提案部１５は、提案すべき２つ以上の判定対象回路の各々に対して、当該判定対象回路の第２時間帯における電力データの変化を表すグラフを表すグラフ情報を生成する。提案部１５は、第１時間帯、提案すべき２以上の判定対象回路の各々の名称及び生成した各々のグラフ情報を含む画面情報を、通信部１３を介して情報端末３に送信する。
【００９６】
登録部１６は、第２入力部１８を介して、登録情報を受け取ると、登録情報が判定対象回路の登録を行うことを表している場合に、提案部１５で提案した判定対象回路を判定部１４の判定で用いる機器として登録する。具体的には、登録部１６は、提案部１５で提案した判定対象回路すべての名称を記憶部１１に記憶する。
【００９７】
次に、記憶部１１に登録された判定対象回路の変更（更新）を行う場合について説明する。
【００９８】
提案部１５は、判定対象回路が記憶部１１に登録された後、記憶部１１に登録された判定対象回路を変更すべきか否かを判断し、変更すべきと判断する場合に判定対象回路の提案を行う。
【００９９】
提案部１５は、判定対象回路が記憶部１１に登録された後、複数の分岐回路７０すべてに対して所定の期間での第２時間帯における電力データが変化を監視する。提案部１５は、所定の期間での第２時間帯におけるすべての分岐回路７０の電力データの変化に基づいて、複数の対応情報のうち一の対応情報に含まれる出現順序で使用された当該一の対応情報に含まれる２つ以上の分岐回路７０の組を求める。提案部１５は、求めた２つ以上の分岐回路７０の名称の組と、記憶部１１で登録された２つ以上の判定対象回路の名称の組とが一致するかの判断と、求めた２つ以上の分岐回路７０の出現順序と２つ以上の判定対象回路の出現順序とが一致するかの判断とを行う。提案部１５は、双方の判断のうち少なくとも一方の判断で一致しない場合には、記憶部１１に登録された判定対象回路を変更すべきと判断する。ここで、双方の判断を行うことは、記憶部１１に登録された判定対象回路を変更すべきか否かの判断を行うことに読み替え可能である。
【０１００】
提案部１５は、記憶部１１に登録された判定対象回路を変更すべきと判断した場合に、新たに求めた２つ以上の分岐回路７０を、それぞれ判定対象回路として提案する。
【０１０１】
以降の動作は、初期状態の場合における動作と同様であるので、説明を省略する。
【０１０２】
次に、判定部１４の動作について説明する。
【０１０３】
本実施形態における判定部１４は、記憶部１１に登録された２つ以上の判定対象回路すべての第１時間帯における電力データの変化に基づいて、上述した出現順序で、判定対象回路すべての状態が変化（状態が未使用から使用に変化）したか否かを判定する。判定結果が肯定的である場合、判定部１４は、第１時間帯に施設５の人が帰宅したと判定し、帰宅情報を情報端末３に送信する。例えば、３つの判定対象回路のうち少なくとも１つの判定対象回路で電力データが変化した後に、他の２つの判定対象回路分岐のうち少なくも１つの判定対象回路で電力データが変化したか否かを判定する。判定結果が肯定的である場合、判定部１４は、第１時間帯に施設５の人が帰宅したと判定する。これにより、例えば１階に設置された機器５０を含む判定対象回路で電力の変化があり、その後２階に設置された機器５０を含む判定対象回路で電力の変化があれば帰宅と判定することができる。
【０１０４】
なお、提案部１５は、記憶部１１に登録された判定対象回路を変更すべきか否かの判断として、少なくとも求めた２つ以上の分岐回路７０の名称の組と、記憶部１１で登録された２つ以上の判定対象回路の名称の組とが一致するかの判断を行ってもよい。
【０１０５】
（実施形態３）
本実施形態では、判定対象回路を提案する際に表示部３１に表示する提案画面において、提案する判定対象回路の他、現在判定に用いている判定対象回路（現対象回路）に関する情報（電力データのグラフ）を表示する点が、実施形態１と異なる。なお、実施形態１と同様の構成要素には同一の符号を付して説明を適宜省略する。
【０１０６】
本実施形態の提案部１５は、実施形態１と同様に、提案すべき１つ以上の判定対象回路の各々に対して、第２時間帯における電力データの変化を表すグラフを表すグラフ情報（第１グラフ情報）を生成する。
【０１０７】
本実施形態の提案部１５は、現在、判定部１４で利用され記憶部１１に登録されている判定対象回路（現対象回路）すべてについて、第２時間帯での電力データの変化を表すグラフを表すグラフ情報（第２グラフ情報）を生成する。
【０１０８】
本実施形態の提案部１５は、第１時間帯と、提案すべき１つ以上の判定対象回路の各々の名称及び各々の第１グラフ情報と、現対象回路すべての名称及び現対象回路すべての第２グラフ情報とを含む画像情報を、情報端末３に送信する。
【０１０９】
本実施形態の情報端末３の処理部３２は、画面情報をサーバ１から通信部３３を介して受け取る。処理部３２は、画面情報を基に提案画面２００を生成し、表示部３１に表示する。
【０１１０】
処理部３２は、表示部３１で提案画面２００が表示されている間にユーザの所定操作が行われると、提案された判定対象回路を受け入れるか否かを問い合わせる確認画面１５０を表示部３１に表示する。
【０１１１】
入力部３４は、提案された判定対象回路の登録を行うか否かを問い合わせに対する応答をユーザ操作により受け付ける。処理部３２は、入力部３４で受け付けた応答に応じた登録情報をサーバ１に送信する。
【０１１２】
以下、提案画面２００について説明する。
【０１１３】
提案画面２００は、図５に示すように、第１グラフ表示領域２０１と、第２グラフ表示領域２０２と、情報表示領域２０３とを含んでいる。図５の参照符号及び領域を囲む一点鎖線は、説明のために記載しているのみであり、実際の画面には表示されない。
【０１１４】
第１グラフ表示領域２０１には、提案する判定対象回路の名称と、第２時間帯を含む時間帯における当該判定対象回路の消費電力量（計測値）の変化を表すグラフとが表示される。図５では、第１グラフ表示領域２０１には、提案する３つの判定対象回路の各々の名称（第１分岐回路、第５分岐回路及び空調機器（子供部屋））と、判定対象回路の各々の第２時間帯を含む時間帯における電力データの変化を表すグラフとが表示されている。
【０１１５】
第２グラフ表示領域２０２には、現対象回路の名称と、第２時間帯を含む時間帯における当該現対象回路の消費電力量（計測値）の変化を表すグラフとが表示される。図５では、第２グラフ表示領域２０２には、３つの現対象回路の各々の名称（第２分岐回路、第６分岐回路及び空調機器（リビング））と、現対象回路の各々の第２時間帯を含む時間帯における消費電力量（計測値）の変化を表すグラフとが表示されている。
【０１１６】
情報表示領域２０３には、第１時間帯（ここでは、１６：００〜１８：００）が表示されている。
【０１１７】
提案画面２００が表示されることにより、情報端末３のユーザは、提案された判定対象回路の電力データの変化と、現対象回路の電力データの変化を比較することができる。さらに、情報端末３のユーザは、提案された判定対象回路が第１時間帯（ここでは、帰宅する可能性がある時間帯）における施設５の人の状態を判定する機器として適しているか否かを判断することができる。
【０１１８】
なお、提案画面２００において表示される判定対象回路についてのグラフ及び現対象回路についてのグラフは、表示対象として必須ではない。提案画面２００では、少なくとも提案すべき1つ以上の判定対象回路の名称が表示されていればよい。
【０１１９】
（実施形態４）
本実施形態では、判定対象回路を提案する前に記憶部への登録を行い、その後にユーザへ通知（事後通知）する点が、実施形態１と異なる。なお、実施形態１と同様の構成要素には同一の符号を付して説明を適宜省略する。
【０１２０】
本実施形態の提案部１５及び登録部１６の動作について説明する。
【０１２１】
まず、初期状態の場合における動作について説明する。
【０１２２】
提案部１５は、記憶部１１に判定対象回路が登録されていない場合には、所定の期間での第２時間帯における複数の分岐回路７０すべての電力データの変化に基づいて、１つ以上の判定対象回路を求める。
【０１２３】
提案部１５は、抽出した１つ以上の判定対象回路をユーザに提案するに先立って、求めたすべての判定対象回路を記憶部１１に登録（記憶）するよう登録部１６を制御する。登録部１６は、提案部１５の制御により、提案部１５が求めたすべての判定対象回路を記憶部１１に登録する。
【０１２４】
提案部１５は、抽出したすべての判定対象回路を登録部１６が記憶部１１に登録された後、画面情報を生成し、通信部１３を介して情報端末３に送信する。
【０１２５】
次に、記憶部１１に登録された判定対象回路の変更（更新）をサーバ１が行う場合について説明する。
【０１２６】
提案部１５は、判定対象回路が記憶部１１に登録された後、記憶部１１に登録された判定対象回路を変更すべきか否かを判断し、変更すべきと判断する場合に判定対象回路の提案を行う。
【０１２７】
提案部１５は、判定対象回路が記憶部１１に登録された後、複数の分岐回路７０すべてに対して所定の期間での第２時間帯における電力データが変化を監視する。提案部１５は、所定の期間での第２時間帯における電力データが所定の変化パターンが出現している少なくとも１つの分岐回路７０を求める。提案部１５は、求めたすべての分岐回路７０の名称からなる第１群と、記憶部１１で記憶されているすべての判定対象回路の名称からなる第２群とが一致するか否かを判断する。ここでの第１群及び第２群の概念には、１つからなる場合も含める。
【０１２８】
提案部１５は、一致しない場合には、記憶部１１に登録された判定対象回路を変更すべきと判断する。つまり、第１群と第２群とが一致するか否かの判断を、判定対象回路を変更すべきか否かの判断と読み替え可能である。
【０１２９】
提案部１５は、記憶部１１に登録されている判定対象回路を変更すべきと判断した場合に、ユーザに提案するに先立って、新たに求めた１つ以上の判定対象回路を記憶部１１に登録するよう登録部１６を制御する。登録部１６は、提案部１５の制御により、抽出された１つ以上の判定対象回路を記憶部１１に登録する。
【０１３０】
提案部１５は、求めた１つ以上の判定対象回路を登録部１６が記憶部１１に登録した後、上述した画面情報を生成し、通信部１３を介して情報端末３に送信する。
【０１３１】
本実施形態において、サーバ１は、情報端末３で提案画面１００が表示された後、提案された判定対象回路の登録を受け入れないことを表す登録情報を情報端末３から受け取ると、記憶部１１での登録内容を、変更前の状態に戻す構成であってもよい。
【０１３２】
なお、提案すべき判定対象回路をユーザに提案する前に記憶部１１に登録する機能（事後通知機能）と、提案後にユーザの応答に応じて記憶部１１に登録する機能（事前通知機能）とのいずれかを利用するかをユーザが予め登録してもよい。
【０１３３】
この場合、情報端末３は、ユーザの操作により入力部３４から事後通知機能及び事前通知機能のいずれの機能を利用するかを表す利用情報を受け取ると、受け取った利用情報をサーバ１に送信する。サーバ１は、情報端末３から受け取った利用情報を記憶部１１に記憶する。処理部１２は、記憶部１１で記憶している利用情報の内容に応じた機能を用いて、判定対象回路の提案を行う。利用情報が事後通知機能の利用を表している場合には、サーバ１は、本実施形態の動作に基づいて判定対象回路を提案する。利用情報が事前通知機能の利用を表している場合には、サーバ１は、例えば実施形態１で説明した動作に基づいて判定対象回路を提案する。なお、事後通知機能と事前通知機能とのいずれかを設定する機能は、実施形態１〜３に適用してもよい。
【０１３４】
判定対象回路を提案する前に判定対象回路の登録が行われた場合、登録後にユーザへの通知を行わなくてもよい。この場合、提案部１５は、判定対象回路の提案を、状態判定システム１０内部（サーバ１内部）に対して、特に登録部１６に対して行う。つまり、提案部１５による判定対象回路の提案は、ユーザに対しての提案であってもよいし、状態判定システム１０（サーバ１）に対しての提案であってもよい。
【０１３５】
（変形例）
以下に、変形例について列記する。なお、以下に説明する変形例は、上記各実施形態と適宜組み合わせて適用可能である。
【０１３６】
上記各実施形態では、状態判定システム１０（サーバ１）は、複数の分岐回路７０のうち少なくとも１つの分岐回路７０を判定対象回路として提案する構成としたが、この構成に限定されない。状態判定システム１０は、主幹回路を判定対象回路として提案してもよい。つまり、状態判定システム１０は、複数の分岐回路７０及び主幹回路のうち少なくとも１つの回路を、判定対象回路として提案してもよい。ここで、主幹回路とは、主幹ブレーカ６１と複数の分岐回路７０を含む回路である。主幹回路の電力データは、電流センサ２３での計測結果を基に求められる。複数の分岐回路７０の各々の電力データでは大きな変化は見られないが、主幹回路での電力データの変化が大きい場合ある。このような場合、主幹回路を判定対象回路として提案することは有効である。
【０１３７】
つまり、状態判定システム１０（サーバ１）は、複数の分岐回路７０のうち少なくとも１つの分岐回路７０を判定対象回路として提案、又は複数の分岐回路７０及び主幹回路のうち少なくとも１つの回路を判定対象回路として提案する。要するに、状態判定システム１０（サーバ１）は、複数の分岐回路７０及び主幹回路のうち１つ以上の回路からなる提案対象の中から少なくとも１つの回路を判定対象回路として提案する。
【０１３８】
上記各実施形態では、状態判定システム１０は、判定対象回路を提案する構成としたが、この構成に限定されない。状態判定システム１０は、判定部１４の判定に用いられない回路を判定対象外回路として提案してもよい。状態判定システム１０は、複数の分岐回路７０及び主幹回路のうち、第２時間帯における電力データが所定の変化パターンに一致しない回路を判定対象外回路として提案する。判定対象外回路は、第２時間帯における電力データが所定の変化パターンに一致しない回路に限らない。判定対象外回路は、全く使用されていない回路、変化はあるが所定の電力よりも少ない電力で変化している回路、自動的な制御により、周期的な電力変化をしている回路、分岐回路名称から不適当と思われる回路等であってもよい。
【０１３９】
上記各実施形態において、状態判定システム１０は、施設５の人の状態として所定の時間帯（第１時間帯）に施設５の人が施設５に帰宅したか否かを判定することを例として、説明したが、状態判定システム１０の適用はこの判定に限定されない。状態判定システム１０は、施設５の人の状態として、所定の時間帯（例えば、２２：００〜２４：００）に就寝したか否かを判定してもよい。この場合、判定部１４は、状態が時間帯“２２：００〜２４：００”において使用状態から未使用状態となる電力データの変化パターンを有する分岐回路７０である１つ以上の判定対象回路を判定に用いる。
【０１４０】
また、状態判定システム１０は、施設５の人の複数の状態を判定する場合には、記憶部１１に判定する状態ごとに、当該判定に用いる第１時間帯、第２時間帯及び１つ以上の判定対象回路を記憶部１１に登録することで、各状態を判定することができる。
【０１４１】
上記各実施形態において、第１時間帯と第２時間帯は同一時間帯とする構成としたが、この構成に限定されない。第１時間帯と第２時間帯とは、少なくとも一部が重複していてもよいし、重複部分が無くてもよい。施設５の人が特定の時間帯（第１時間帯）にある行動をとる場合、その準備として第１時間帯よりも以前の時間帯に機器５０を利用することが考えられる。例えば、空調機器を外出先から操作することで、帰宅する可能性がある時間帯（１６：００〜１８：００）より以前の時間帯（例えば、１５：００〜１６：００）で空調機器を起動させて、部屋の温度を調整することが考えられる。または、空調機器を外出先から帰宅時間帯と一部重複する時間帯（例えば１５：３０〜１６：３０）で空調機器を起動させて、部屋の温度を調整することも考えられる。これらの場合、第２時間帯と第１時間帯とを同一時間帯とするよりも、第１時間帯よりも以前の時間帯、又は第１時間帯と一部重複する時間帯を第２時間帯として採用してもよい。
【０１４２】
または、状態判定システム１０は、施設５の状態を判定してもよい。例えば、状態判定システム１０は、所定の時間帯における所定の場所（例えば、リビング）の利用状況を判定する。この場合、判定部１４は、所定の時間帯に対する判定対象回路が使用される使用時間帯の割合が大きいほど、頻繁に利用されていると判定する。ここで、判定対象回路として空調機器が記憶部１１に記憶されていると仮定する。提案部１５は、所定の時間帯に対して空調機器の利用時間帯の割合よりもテレビを含む分岐回路７０の利用時間帯の割合の方が大きい場合には、テレビを含む分岐回路７０を判定対象回路として提案する。
【０１４３】
上記各実施形態において、複数の判定対象回路が提案された場合、登録部１６は、提案された複数の判定対象回路を一括して記憶部１１に登録する構成としたが、これに限定されない。登録部１６は、提案された複数の判定対象回路のうちユーザから登録の指示のあった判定対象回路のみを記憶部１１に登録してもよい。例えば、情報端末３は、複数の判定対象回路の各々に対して、登録を行うか否かの個別応答情報の入力を受け付ける。情報端末３は、複数の判定対象回路の各々と、対応する個別応答情報とを含む登録情報を、サーバ１（状態判定システム１０）に送信する。サーバ１の登録部１６は、複数の判定対象回路にそれぞれ対応する複数の個別応答情報に基づいて、複数の判定対象回路のうちユーザから登録の指示のあった１つ以上の判定対象回路のみを記憶部１１に登録する。
【０１４４】
上記各実施形態において、判定部１４は、人の状態を判定する際に、季節（時期）に応じて異なる判定対象回路を用いて判定を行ってもよい。または、判定部１４は、天候に応じて異なる判定対象回路を用いて判定を行ってもよい。この場合、提案部１５は、冬の季節に応じた判定対象回路を提案する場合には、過去の冬の季節における所定の期間での電力データの変化パターンに基づいて、１つ以上の判定対象回路の提案を行う。また、提案部１５は、天候が雨である日に応じた判定対象回路を提案する場合には、過去の雨の日における所定の期間での電力データの変化パターンに基づいて、１つ以上の判定対象回路の提案を行う。また、提案部１５は、所定の時間帯（第２時間帯）、季節及び天候のうち少なくとも２つを組み合わせて、判定対象回路の抽出を行ってもよい。要するに、提案部１５は、電力データと、所定の時間帯（第２時間帯）、季節（時期）、天候のうち少なくともいずれかを含む付加情報とから、提案すべき判定対象回路を抽出してもよい。例えば、提案部１５は、雨の日には就寝前（２２：００〜２４：００）に乾燥機を利用する人に対して雨の日に就寝したか否かを判定する場合には、乾燥機を含む分岐回路７０を判定対象回路として提案することができる。判定部１４は、雨の日の特定の時間帯（２２：００〜２４：００）において乾燥機を含む分岐回路７０が使用されている場合には、施設５の人は就寝したと判定する。
【０１４５】
上記各実施形態において、提案部１５は、所定の期間における電力データのみを用いて、複数の分岐回路７０のうち提案すべき1つ以上の判定対象回路を抽出してもよい。例えば、提案部１５は、所定の期間（１日）における電力データの変化（未使用から使用、使用から未使用となる状態変化）が頻繁に起こる上位３つの分岐回路７０を、それぞれ判定対象回路として提案する。
【０１４６】
複数の分岐回路７０のうち提案すべき1つ以上の判定対象回路を抽出する処理は、常時行ってもよいし、１ヶ月に１回等定期的に行ってもよい。または、判定対象回路を抽出する処理を実行する指示を受け付けた場合に、当該処理を行ってもよい。
【０１４７】
また、回路名称、機器名称は、それらに対応付けられた識別子等で判別してもよい。
【０１４８】
上記各実施形態において、記憶部１１に複数の判定対象回路が記憶されている場合、判定部１４は、複数の判定対象回路のうち少なくとも１つの判定対象回路について電力データの変化が確認された場合に、施設５の人が特定の行動を行ったと判定した。しかしながら、この構成に限定されない。記憶部１１に複数の判定対象回路が記憶されている場合、判定部１４は、複数の判定対象回路すべてについて電力データの変化が確認された場合に、施設５の人が特定の行動を行ったと判定してもよい。または、判定部１４は、複数の判定対象回路のうち所定数以上の判定対象回路について電力データの変化が確認された場合に、施設５の人が特定の行動を行ったと判定してもよい。つまり、判定部１４は、複数の判定対象回路すべての電力データに変化が確認されるか否かを、施設５の人が特定の行動をとったか否かを判定する判定条件としてもよい。または、少なくとも１つの判定対象回路の電力データに変化が確認されるか否かを、施設５の人が特定の行動をとったか否かを判定する判定条件としてもよい。または、所定数以上の判定対象回路の電力データに変化が確認されるか否かを、施設５の人が特定の行動をとったか否かを判定する判定条件としてもよい。
【０１４９】
上記各実施形態で述べた分岐回路は、コンセントと機器５０との間に接続され、電流の値を計測する計測機能付きの電源タップ、又は計測機能付きの機器５０に置き換えてもよい。
【０１５０】
上記各実施形態において、提案部１５が提案する判定対象回路の回路数の指定を、ユーザから受け付けてもよい。例えば、情報端末８は、ユーザから判定対象回路の回路数として“３”の指定を受け付けると、判定対象回路の回路数として“３”をサーバ１に通知する。サーバ１は、受け取った回路数（ここでは、“３”）を上限値として、ユーザに判定対象回路を提案する。
【０１５１】
上記実施形態において、提案部１５は、情報端末３に所望の提案画面１００（２００）を表示させるための画面情報を作成する構成としたが、この構成に限定されない。提案部１５は、情報端末３の表示部３１に表示する画面を作成する構成としてもよい。また、画面情報は、例えば、情報端末３が提案画面１００（２００）を表示するためのアプリケーションを有していれば、画面情報はアプリケーションと共同して提案画面１００（２００）を表示するためのデータであってもよい。また例えば、情報端末３のアプリケーションが提案画面１００（２００）の画像データの全てを有していれば、画面情報は、画像データにより提案画面１００（２００）を構成するためのデータであってもよい。あるいは、情報端末３のアプリケーションが提案画面１００（２００）の画像データの一部を有していれば、画面情報は、画像データの残りの部分であってもよい。
【０１５２】
また、判定条件は、ユーザにより登録されてもよい。この場合、情報端末３は、ユーザの操作により入力部３４から判定条件を受け付け、受け付けた判定条件をサーバ１（状態判定システム１０）に送信する。サーバ１は、情報端末３から受け取った判定条件を、記憶部１１に記憶する。判定部１４は、記憶部１１に記憶さて入れている判定条件に基づいて、施設５の人の状態（特定の行動をとったか否か）を判定する。
【０１５３】
さらに、コンピュータシステムは、１または複数のコンピュータで構成されるシステムであってもよい。つまり、状態判定システム１０がサーバ１で構成されることは必須ではない。例えば、状態判定システム１０は、サーバ１、ローカル装置４０、情報端末３のうち少なくとも１つの装置によって構成されてもよい。また、状態判定システム１０の少なくとも一部の機能は、例えばクラウド（クラウドコンピューティング）によって実現されてもよい。また、サーバ１、ローカル装置４０及び情報端末３の各々の機能は分散されて設けられていてもよい。
【０１５４】
（まとめ）
以上説明したように第１の態様の状態判定システム１０は、判定部１４と、提案部１５とを備える。判定部１４は、施設５で使用された電力に関する電力データに基づいて施設５の状態又は施設に関する人の状態を判定する。提案部１５は、施設５に備えられた複数の分岐回路７０及び主幹回路のうち１つ以上の回路からなる提案対象の中から少なくとも１つの回路を、判定部１４による判定に用いられる判定対象回路として提案する。または、提案部１５は、提案対象の中から少なくとも１つの回路を判定部１４による判定に用いられない判定対象外回路として提案する。
【０１５５】
この構成によると、状態判定システム１０は、判定対象回路又は判定対象外回路を提案するので、状態判定システム１０のユーザは人の状態又は施設の状態の判定に有効な分岐回路７０又は機器５０を知ることができる。そのため、ユーザは、人の状態又は施設の状態の判定に有効な分岐回路７０又は機器５０を知らないまま分岐回路７０又は機器５０を登録する可能性が低くなる。したがって、状態判定システム１０は、妥当ではない判定対象回路をユーザが選択する可能性を低くすることができる。
【０１５６】
第２の態様の状態判定システム１０では、第１の態様において、提案部１５は、提案対象である回路の各々の電力データと、電力データとは異なる付加情報とに基づいて判定対象回路又は判定対象外回路を提案する。この構成によると、状態判定システム１０は、電力データと付加情報とに基づいて判定対象回路又は判定対象外回路を提案するので、人の状態又は施設の状態の判定により有効な分岐回路７０又は機器５０をユーザは知ることができる。
【０１５７】
第３の態様の状態判定システム１０では、第２の態様において、付加情報は、所定の時間帯（第２時間帯）を含む。提案部１５は、提案対象である回路の各々の所定の時間帯における電力データに基づいて判定対象回路又は判定対象外回路を提案する。この構成によると、付加情報として所定の時間帯（第２時間帯）を用いるので、人の状態又は施設の状態の判定により有効な分岐回路７０又は機器５０をユーザは知ることができる。
【０１５８】
第４の態様の状態判定システム１０では、第３の態様において、判定部１４は、施設５の特定の時間帯（第１時間帯）での状態又は施設５に関する人の特定の時間帯での状態を、判定する。特定の時間帯は、所定の時間帯と少なくとも一部が重複する。この構成によると、所定の時間帯（第２時間帯）と、特定の時間帯（第１時間帯）との少なくとも一部が重複している。そのため、提案部１５は、人の状態若しくは施設５の状態の判定により有効な判定対象回路を提案、又は人の状態若しくは施設５の状態の判定には不向きな判定対象外回路を提案することができる。
【０１５９】
第５の態様の状態判定システム１０は、第４の態様において、特定の時間帯についてユーザからの入力を受け付ける受付部（第１入力部１７）を、さらに備える。この構成によると、状態判定システム１０は、特定の時間帯をユーザから受け付けるので、特定の時間帯を可変することできる。そのため、状態判定システム１０は、人の状態又は施設の状態において種々の状態の判定に用いることができる。
【０１６０】
第６の態様の状態判定システム１０では、第１〜第５のいずれかの態様において、提案部１５は、提案対象である回路のうち、電力データが所定の変化パターンで変化している回路を判定対象回路として提案する。この構成によると、状態判定システム１０は、複数の分岐回路７０のうち所定の変化パターンで表される状態となった回路（例えば未使用状態から使用状態となった分岐回路７０）を判定対象回路として提案することができる。または、状態判定システム１０は、複数の分岐回路７０及び主幹回路のうち所定の変化パターンで表される状態となった回路を判定対象回路として提案することができる。
【０１６１】
第７の態様の状態判定システム１０では、第６の態様において、提案部１５は、提案対象である２つ以上の分岐回路７０の組み合わせから得られる電力データが所定の変化パターンで変化している場合には、２つ以上の分岐回路７０の各々を判定対象回路として提案する。この構成によると、状態判定システム１０は、複数の分岐回路７０のうち所定の変化パターンで表される状態となった分岐回路７０の組み合わせを、判定対象回路としてそれぞれ提案することができる。
【０１６２】
第８の態様の状態判定システム１０では、第６の態様において、提案部１５は、提案対象である回路の各々に対して所定の期間で計測された電力データの変化パターンの出現頻度に基づいて、提案対象の中から判定対象回路を特定する。この構成によると、状態判定システム１０は、提案対象の中から所定の変化パターンの出現頻度に応じた回路（例えば、利用頻度が高い分岐回路７０）を、判定対象回路として提案することができる。
【０１６３】
第９の態様の状態判定システム１０では、第６の態様において、提案部１５は、提案対象である回路のうち、所定の期間で計測された電力データの変化度合が大きい所定数の回路の各々を判定対象回路として提案する。この構成によると、状態判定システム１０は、明らかに状態が変化した回路（例えば、状態が未使用状態から使用状態に変化した分岐回路７０）の各々を、判定対象回路として提案することができる。
【０１６４】
第１０の態様の状態判定システム１０では、第１〜第９のいずれかの態様において、提案部１５は、さらに、判定部１４が現時点で判定の対象に用いている判定対象回路としての現対象回路を通知する。この構成によると、状態判定システム１０は、現対象回路を通知するので、ユーザは状態判定システム１０から提案された判定対象回路又は判定対象外回路と、現対象回路とを比較することができる。
【０１６５】
第１１の態様の状態判定システム１０では、第１〜第１０のいずれかの態様において、提案部１５は、判定対象回路を提案するように構成されている。当該状態判定システム１０は、受取部（第２入力部１８）を、さらに備える。受取部は、提案部１５で提案された判定対象回路を判定部１４による判定に用いる回路として登録するか否かを表す登録情報をユーザから受け取る。判定部１４は、判定部１４による判定に用いる回路として登録された判定対象回路の電力データに基づいて、施設５の状態又は施設５に関する人の状態を判定する。この構成によると、ユーザは、登録対象である判定対象回路を事前に知ることができる。
【０１６６】
第１２の態様の状態判定システム１０では、第１〜第１０のいずれかの態様において、提案部１５は、判定対象回路を提案するように構成されている。提案部１５は、提案対象の中から少なくとも１つの回路を前記判定対象回路として求める。提案部１５は、求めた判定対象回路が判定部１４による判定に用いる回路として登録された後に、判定対象回路の提案に代えて前記判定対象回路を登録したことを通知する。この構成によると、ユーザは、登録対象である判定対象回路を登録後に知ることができる。
【０１６７】
第１３の態様の状態判定システム１０は、第１１又は第１２の態様において、提案部１５は、提案部１５が提案した判定対象回路が判定部１４による判定に用いる回路として登録された後において、登録された判定対象回路を変更すべきか否かを判断する。提案部１５は、変更すべきと判断する場合には新たな判定対象回路を提案する。この構成によると、状態判定システム１０は、判定対象回路を１度登録した後であっても、登録された判定対象回路を更新（変更）することができる。
【０１６８】
第１４の態様の状態判定方法は、判定ステップと、提案ステップとを含む。判定ステップは、施設５で使用された電力に関する電力データに基づいて施設５の状態又は施設５に関する人の状態を判定する。提案ステップは、施設５に備えられた複数の分岐回路７０及び主幹回路のうち１つ以上の回路からなる提案対象の中から少なくとも１つの回路を、判定ステップによる判定に用いられる判定対象回路として提案する。または、提案ステップは、提案対象の中から少なくとも１つの回路を、判定ステップによる判定に用いられない判定対象外回路として提案する。この状態判定方法によると、妥当ではない判定対象回路をユーザが選択する可能性を低くすることができる。
【０１６９】
第１５の態様のプログラムは、コンピュータシステムに、判定処理と、提案処理とを実行させるためのプログラムである。判定処理は、施設５で使用された電力に関する電力データに基づいて施設５の状態又は施設５に関する人の状態を判定する。提案処理は、施設５に備えられた複数の分岐回路７０及び主幹回路のうち１つ以上の回路からなる提案対象の中から少なくとも１つの回路を、判定処理による判定に用いられる判定対象回路として提案する。または、提案処理は、提案対象の中から少なくとも１つの回路を、判定処理による判定に用いられない判定対象外回路として提案する。このプログラムによると、妥当ではない判定対象回路をユーザが選択する可能性を低くすることができる。
【符号の説明】
【０１７０】
１    サーバ
５    施設
１０    状態判定システム
１４    判定部
１５    提案部
１７    第１入力部（受付部）
１８    第２入力部（受取部）
７０    分岐回路
【図１】
2018142935.tif 000003
【図２】
2018142935.tif 000004
【図３】
2018142935.tif 000005
【図４】
2018142935.tif 000006
【図５】
2018142935.tif 000007